(57)【要約】      （修正有）【課題】支持柱の回転運動を安定に駆動できる回転駆動装置を提供する。【解決手段】中空に形成された支持座２の中空内部に、底面に設置されている軸棒２３と、軸棒２３による軸支で支持座２に回転可能に取り付けられている従動プレートと、偏心クランク駆動により回転駆動される従動プレートと、従動プレートと共に回転できるように軸棒２３に軸支される従動管３１と、従動管３１と支持座２との間に介在し、従動管３１の周壁を側面から支持するように支持座２に取り付けられている軸受４と、を備え、従動プレートと共に回転する従動管３１を回転駆動しながら、軸受４で従動管３１の回転を安定させることができる。【選択図】図２
0003184739.tif 000002
【実用新案登録請求の範囲】
【請求項１】
中空に形成された支持座を有し、該支持座の中空内部に、
底面から立ち上がるように設置されている軸棒と、
前記軸棒による軸支で前記支持座に平面的に回転可能に取り付けられている従動プレートと、
モータの駆動により前記従動プレートの回転平面と平行する面で偏心運動を行うことができるように配置構成されている駆動プレートと、
前記駆動プレートの回転によって前記従動プレートを回転させることができるように、前記駆動プレートと前記従動プレートとの間に連結されている連動リンクと、
前記従動プレートと共に回転できるように前記軸棒に軸支される従動管と、
前記従動管と前記支持座との間に介在し、前記従動管の周壁を側面から支持するように前記支持座に取り付けられている軸受と、を備えており
前記従動プレートと共に回転する前記従動管を回転駆動しながら、前記軸受で前記従動管の回転を安定させることができる回転駆動装置。
【請求項２】
前記支持座には、前記従動管と同軸且つ前記従動管より大径に形成され、前記従動管を周りから囲んでいる環状壁があり、
更に、前記軸受は、前記従動管と前記環状壁との間に介在し、前記従動管と前記環状壁との両方に密接するように取り付けられている玉軸受であることを特徴とする請求項１に記載の回転駆動装置。
【請求項３】
前記従動管は、管本体と、前記管本体と前記従動プレートとの間に介在するスイッチブロックとからなり、
前記スイッチブロックは、前記従動プレートにロックされて前記従動プレートと共に回転するロック位置と、前記ロックが解除されて前記従動プレートに対して相対的回動ができる解除位置との間に切り替わることができるように構成されることを特徴とする請求項１または請求項２に記載の回転駆動装置。
【請求項４】
前記スイッチブロックは、前記軸棒により挿通される内スリーブ部と、前記内スリーブ部を囲むように配置される外スリーブ部と、前記内スリーブ部と前記外スリーブ部とを繋ぐ連結部とを備えていると共に、前記外スリーブ部の前記従動プレートに隣接する端部の外周面に少なくとも１つのネジ孔が開けられており、
前記管本体は、前記スイッチブロックの前記外スリーブ部を包むことができるように前記外スリーブ部より少し大径に形成されていると共に、前記外スリーブ部に形成されている各ネジ孔に対応する位置に通孔が形成され、前記管本体に形成されている各通孔と前記外スリーブ部に形成されている各ネジ孔とを貫通するネジにより前記スイッチブロックに取り付けられていることを特徴とする請求項３に記載の回転駆動装置。
【請求項５】
前記スイッチブロックに、前記外スリーブ部の前記従動プレートに隣接する端部の外周面から張り出すフランジ部が更に形成されており、
前記フランジ部に、前記外スリーブ部に形成されている各ネジ孔と連通すると共に前記管本体側に向かって開口し且つ前記外スリーブ部の外側へと放射状に延伸する溝が凹設されており、
前記管本体の各前記通孔が形成されている箇所は、前記フランジ部に形成されている前記溝に嵌めこむタップとして突起するように形成されていることを特徴とする請求項４に記載の回転駆動装置。
【請求項６】
前記スイッチブロックに、前記フランジ部の前記従動プレートに面する端部から突起して前記従動プレートの周縁の一部を覆うと共に前記従動プレートの周縁に向かう面に複数の係止凹部を有する円弧状突起が形成されており、
前記従動プレートは、前記軸棒により挿通される軸孔と、周縁で前記円弧状突起に向かって開口し、且つ、該開口から前記軸孔側へ延伸する収容孔とが形成されていると共に、前記収容孔に収容されて前記収容孔の開口外に露出するように付勢されて前記円弧状突起が有する前記係止凹部に嵌まり込むことによって、前記スイッチブロックを前記従動プレートにロックして前記従動プレートと共に回転させることができるロックピンが取り付けられていることを特徴とする請求項５に記載の回転駆動装置。
【考案の詳細な説明】
【技術分野】
【０００１】
本考案は、回転軸駆動装置に関し、特に、例えば扇風機などが有する支持柱の軸棒を回転駆動することができる回転軸駆動装置に関する。
【背景技術】
【０００２】
図１では、特許文献１に記載されている回転式扇風機１０が示されており、これによれば、本体１２を支持する支持柱１１を往復回転駆動することによって、本体１２の風を吹き出す方向を変えることができる。
【先行技術文献】
【特許文献】
【０００３】
【特許文献１】中国特許出願公開第１３９５０４４号明細書
【考案の概要】
【考案が解決しようとする課題】
【０００４】
しかし、上記構成において、プロペラ１３及びプロペラ１３を駆動するモータが本体１２に搭載されているが、構成上、支持柱１１は、プロペラ１３を直接に支持することができない。このため、支持座１４内に収容されているモータにより回転駆動される支持柱１１が回転すると、支持柱１１の回転に応じて揺動するプロペラ１３は、支持柱１１をも揺動させてしまうことになる。
【０００５】
本考案は、例えばこのような構成において、支持柱の回転運動を安定に駆動できる回転軸駆動装置の提供を目的とする。
【課題を解決するための手段】
【０００６】
上記目的を達成すべく、本考案は、中空に形成された支持座を有し、該支持座の中空内部に、底面から立ち上がるように設置されている軸棒と、前記軸棒による軸支で前記支持座に平面的に回転可能に取り付けられている従動プレートと、モータの駆動により前記従動プレートの回転平面と平行する面で偏心運動をすることができるように配置構成されている駆動プレートと、前記駆動プレートの回転によって前記従動プレートを回転させることができるように、前記駆動プレートと前記従動プレートとの間に連結されている連動リンクと、前記従動プレートと共に回転できるように前記軸棒に軸支される従動管と、前記従動管と前記支持座との間に介在し、前記従動管の周壁を側面から支持するように前記支持座に取り付けられている軸受と、を備え、前記従動プレートと共に回転する前記従動管を回転駆動しながら、前記軸受で前記従動管の回転を安定させることができる回転軸駆動装置を提供する。
【０００７】
上記回転軸駆動装置において、前記支持座には、前記従動管と同軸且つ前記従動管より大径に形成され、前記従動管を周りから囲んでいる環状壁があり、更に、前記軸受は、前記従動管と前記環状壁との間に介在し、前記従動管と前記環状壁との両方に密接するように取り付けられている玉軸受であることが好ましい。
【０００８】
上記回転軸駆動装置において、前記従動管は、管本体と、前記管本体と前記従動プレートとの間に介在するスイッチブロックとからなり、前記スイッチブロックは、前記従動プレートにロックされて前記従動プレートと共に回転するロック位置と、前記ロックが解除されて前記従動プレートに対して相対的回動ができる解除位置との間に切り替わることができるように構成されることが好ましい。
【０００９】
上記回転軸駆動装置において、前記スイッチブロックは、前記軸棒により挿通される内スリーブ部と、前記内スリーブ部を囲むように配置される外スリーブ部と、前記内スリーブ部と前記外スリーブ部とを繋ぐ連結部とを備えていると共に、前記外スリーブ部の前記従動プレートに隣接する端部の外周面に少なくとも１つのネジ孔が開けられており、前記管本体は、前記スイッチブロックの前記外スリーブ部を包むことができるように前記外スリーブ部より少し大径に形成されていると共に、前記外スリーブ部に形成されている各ネジ孔に対応する位置に通孔が形成され、前記管本体に形成されている各通孔と前記外スリーブ部に形成されている各ネジ孔とを貫通するネジにより前記スイッチブロックに取り付けられることが好ましい。
【００１０】
上記回転軸駆動装置において、前記スイッチブロックに、前記外スリーブ部の前記従動プレートに隣接する端部の外周面から張り出すフランジ部が更に形成されており、前記フランジ部に、前記外スリーブ部に形成されている各ネジ孔と連通すると共に前記管本体側に向かって開口し且つ前記外スリーブ部の外側へと放射状に延伸する溝が凹設されており、前記管本体の各前記通孔が形成されている箇所は、前記フランジ部に形成されている前記溝に嵌めこむタップとして突起するように形成されていることが好ましい。
【００１１】
上記回転軸駆動装置において、前記スイッチブロックに、前記フランジ部の前記従動プレートに面する端部から突起して前記従動プレートの周縁の一部を覆うと共に前記従動プレートの周縁に向かう面に複数の係止凹部を有する円弧状突起が形成されており、前記従動プレートは、前記軸棒により挿通される軸孔と、周縁で前記円弧状突起に向かって開口し、且つ、該開口から前記軸孔側へ延伸する収容孔とが形成されていると共に、前記収容孔に収容されて前記収容孔の開口外に露出するように付勢されて前記円弧状突起が有する前記係止凹部に嵌まり込むことによって、前記スイッチブロックを前記従動プレートにロックして前記従動プレートと共に回転させることができるロックピンが取り付けられていることが好ましい。
【考案の効果】
【００１２】
上記構成により、本考案の回転軸駆動装置は、駆動プレートと連動リンクとを利用する偏心クランク駆動で従動プレート及び従動管を回転駆動しながら、軸受で従動管の回転を安定させることができるので、従動管に取り付けられる例えば扇風機の支持柱を回転駆動すると、支持柱の回転運動を安定に駆動することができる。
【図面の簡単な説明】
【００１３】
【図１】従来の扇風機の構成例が示されている斜視図である。
【図２】本考案の回転軸駆動装置の上側から見た分解斜視図である。
【図３】本考案の回転軸駆動装置の断面図である。
【図４】本考案の回転軸駆動装置の下側から見た分解斜視図である。
【図５】本考案の回転軸駆動装置における駆動手段及び従動手段の構成関係が示されている拡大分解斜視図である。
【図６】本考案の回転軸駆動装置における従動プレートの構成が示されている拡大分解斜視図である。
【図７】本考案の回転軸駆動装置における従動手段の構成が示されている側面図である。
【図８】本考案の回転軸駆動装置における駆動手段及び従動手段の構成関係が示されている斜視図である。
【図９】本考案の回転軸駆動装置の下側から見た斜視図である。
【図１０】本考案の回転軸駆動装置の駆動関係が示されている説明図である。
【図１１】本考案の回転軸駆動装置の駆動関係が示されている説明図である。
【考案を実施するための形態】
【００１４】
以下では各図面を参照しながら、本考案の好ましい実施形態について詳しく説明する。
【００１５】
図２〜図９に示されている本考案の回転軸駆動装置は、中空に形成された支持座２内に配置されている駆動手段３２と、従動手段３３とにより構成され、従動手段３３に取り付けられている支持柱１１を回転駆動する装置である。
【００１６】
支持座２は、それぞれ略円盤体に形成された上蓋体２１と下蓋体２５とにより、中空に形成されている。上蓋体２１の中心近くに円形の挿通孔２１１が形成されている。更に、支持座２内に底板２２が複数の固定ネジ２４により上蓋体２１に固定されており、底板２２の上蓋体２１に向かう面が底面２２１として、駆動手段３２や従動手段３３を構成する各部材が配置されて底面２２１により支持されている。また、底面２２１の挿通孔２１１に対応して挿通孔２１１の円心に向かう箇所に、円形の設置凹部２２２が形成されており、該設置凹部２２２に軸棒２３が底面２２１から立ち上がるように設置されている。
【００１７】
従動手段３３は、軸棒２３による軸支で軸棒２３の延伸方向と直交する所定の平面で回転できるように支持座２に取り付けられる従動プレート３３２と、従動プレート３３２により支持されると共に、従動プレート３３２と共に回転できるように軸棒２３に軸支される従動管３１とを備えている。
【００１８】
従動プレート３３２に、環状に形成されて軸棒２３により挿通されると共に従動管３１側へ突起する軸支壁３３１が形成されている。
【００１９】
駆動手段３２は、モータ５の駆動で回転できると共に四角形の断面を有する駆動軸３２９と、その円心から離れた位置で駆動軸３２９により挿通され、モータ５及び駆動軸３２９の回転により従動プレート３３２が回転する前記平面と平行する面で偏心運動をすることができるように配置構成されている駆動プレート３２１と、駆動プレート３２１の偏心運動で従動プレート３３２を回転駆動できるように駆動プレート３２１と従動プレート３３２との間に連結される連動リンク３３０とを備えている。
【００２０】
ここで、図５に示されているように、駆動プレート３２１は、上プレート部３２１１と下プレート部３２１２とからなり、下プレート部３２１２には、駆動軸３２９により挿し込まれる駆動孔３２１３と、下プレート部３２１２から上プレート部３２１１へ突出して上プレート部３２１１に当接する第１円環状突起３２１４とが形成されている。ここで、駆動孔３２１３は、第１円環状突起３２１４の円心から外れた位置に形成されているので、駆動軸３２９がモータ５の駆動により回転すると、上プレート部３２１１と下プレート部３２１２とからなる駆動プレート３２１が偏心運動を行うことになる。
【００２１】
連動リンク３３０は、両端にそれぞれ第１円環状突起３２１４に対応して第１円環状突起３２１４により挿通される第１環状端３３０１と、第２円環状突起３３４（後述）に対応して第２円環状突起３３４により挿通される第２環状端３３０２とを有するように形成されている。
【００２２】
従動管３１は、管本体３１０と、管本体３１０と従動プレート３３２との間に介在するスイッチブロック３４とからなり、スイッチブロック３４は、従動プレート３３２にロックされて従動プレート３３２と共に回転するロック位置と、ロックが解除されて従動プレート３３２に対して相対的回動ができる解除位置との間に切り替えることができるように構成されている。
【００２３】
スイッチブロック３４は、軸棒２３により挿通される内スリーブ部３４１と、内スリーブ部３４１を囲むように配置される外スリーブ部３４２と、内スリーブ部３４１と外スリーブ部３４２とを繋ぐ連結部３４３とを備えていると共に、外スリーブ部３４２の従動プレート３３２に隣接する端部の外周面に少なくとも１つのネジ孔３４４が開けられている。
【００２４】
管本体３１０は、スイッチブロック３４の外スリーブ部３４２を包むことができるように外スリーブ部３４２より少し大径に形成されていると共に、外スリーブ部３４２に形成されている各ネジ孔３４４に対応する位置に通孔３１１が形成され、管本体３１０に形成されている各通孔３１１と外スリーブ部３４２に形成されている各ネジ孔３４４とを貫通するネジによりスイッチブロック３４に取り付けられている。
【００２５】
また、スイッチブロック３４には、外スリーブ部３４２の従動プレート３３２に隣接する端部の外周面から張り出すフランジ部３４５が更に形成されている。
【００２６】
このフランジ部３４５には、外スリーブ部３４２に形成されている各ネジ孔３４４と連通すると共に管本体３１０側に向かって開口し且つ外スリーブ部３４２の外側へと放射状に延伸する溝３４６が凹設されており、一方、管本体３１０の各通孔３１１が形成されている箇所は、フランジ部３４５に形成されている溝３４６に嵌め込むタップ３１２として突起するように形成されている。
【００２７】
スイッチブロック３４に、フランジ部３４５の従動プレート３３２に面する端部から突起して従動プレート３３２の周縁の一部を覆うと共に従動プレート３３２の周縁に向かう面に複数の係止凹部３４８を有する円弧状突起３４７が形成されている。
【００２８】
従動プレート３３２には、軸棒２３により挿通される軸孔３３６と、周縁で円弧状突起３４７に向かって開口し、且つ、該開口から軸孔３３６側へ延伸する収容孔３３３と、従動プレート３３２から下蓋体２５側へ突起する第２円環状突起３３４が形成されている。
【００２９】
第２円環状突起３３４が連動リンク３３０の第２環状端３３０２を挿通する構成により、モータ５の駆動によって駆動プレート３２１が偏心運動を行うと、連動リンク３３０の伝動によって第２円環状突起３３４は軸棒２３を軸心とする円周運動を行い、従動プレート３３２は、軸棒２３を軸心とする回転を行うようになる。ちなみに、第２円環状突起３３４は、第１円環状突起３２１４より小径に形成され、第２環状端３３０２も、第１環状端３３０１より小径に形成されている。
【００３０】
収容孔３３３内には、ばね３５２により収容孔３３３の開口外に露出するように付勢されて円弧状突起３４７が有する係止凹部３４８に嵌まり込むことによって、スイッチブロック３４を従動プレート３３２にロックして従動プレート３３２と共に回転させることができるロックピン３５１が取り付けられている。
【００３１】
この構成により、ロックピン３５１が、スイッチブロック３４の円弧状突起３４７が有する係止凹部３４８に嵌まり込むと、スイッチブロック３４が従動プレート３３２をロックするようになり、スイッチブロック３４とスイッチブロック３４に固定される管本体３１０とからなる従動管３１は、図１０に示されているように、駆動軸３２９が反時計方向IIで回転すると、駆動プレート３２１が反時計方向IIで偏心運動を行い、連動リンク３３０の伝動により、従動プレート３３２は、同じく反時計方向IIで軸棒２３を軸心とする回転をするようになる。そして、図１１に示されているように、駆動軸３２９が時計方向Ｉで回転すると、駆動プレート３２１が時計方向Ｉで偏心運動を行い、連動リンク３３０の伝動により、従動プレート３３２は、同じく時計方向Ｉで軸棒２３を軸心とする回転をするようになる。そして、駆動軸３２９がモータ５の駆動によって、時計方向Ｉと反時計方向IIとの間に反復的に切り替わるように回転すると、従動プレート３３２と共に回転する従動管３１も時計方向Ｉと反時計方向IIとの間に反復的に切り替わりながら往復回転運動を行うことができる。
【００３２】
更に、支持座２の上蓋体２１には、従動管３１と同軸で従動管３１より大径に形成され且つ従動管３１を周りから囲んでいる環状壁２１３があり、更に、従動管３１と環状壁２１３との間に介在し、従動管３１と環状壁２１３との両方に密接するように取り付けられている玉軸受４が備えられている。玉軸受４は、従動管３１を囲む内環部４１と、環状壁２１３に当接する外環部４２と、内環部４１と外環部４２との間に介在するように配置された複数のベアリング玉４３とを有するように構成されている。
【００３３】
従って、駆動プレート３２１及び連動リンク３３０の伝動によってモータ５により駆動されて回転する管本体３１０は、玉軸受４からサポートされてより安定に作動することができる。
【産業上の利用可能性】
【００３４】
上記構成により、本考案の回転軸駆動装置は、駆動プレートと連動リンクとを利用する偏心クランク駆動で従動プレート及び従動管を回転駆動しながら、軸受で従動管の回転を安定させることができるので、従動管に取り付けられる例えば扇風機の支持柱を回転駆動すると、支持柱の回転運動を安定に駆動することができる。
【符号の説明】
【００３５】
１１  支持柱
２  支持座
２１  上蓋体
２１１  挿通孔
２１３  環状壁
２２  底板
２２１  底面
２２２  設置凹部
２３  軸棒
２４  固定ネジ
２５  下蓋体
３１  従動管
３１０  管本体
３１１  通孔
３１２  タップ
３２  駆動手段
３２１  駆動プレート
３２１１  上プレート部
３２１２  下プレート部
３２１３  駆動孔
３２１４  第１円環状突起
３２９  駆動軸
３３  従動手段
３３０  連動リンク
３３０１  第１環状端
３３０２  第２環状端
３３１  軸支壁
３３２  従動プレート
３３３  収容孔
３３４  第２円環状突起
３３６  軸孔
３４  スイッチブロック
３４１  内スリーブ部
３４２  外スリーブ部
３４３  連結部
３４４  ネジ孔
３４５  フランジ部
３４６  溝
３４７  円弧状突起
３４８  係止凹部
３５１  ロックピン
３５２  ばね
４  玉軸受
４１  内環部
４２  外環部
４３  ベアリング玉
５  モータ
【図１】
0003184739.tif 000003
【図２】
0003184739.tif 000004
【図３】
0003184739.tif 000005
【図４】
0003184739.tif 000006
【図５】
0003184739.tif 000007
【図６】
0003184739.tif 000008
【図７】
0003184739.tif 000009
【図８】
0003184739.tif 000010
【図９】
0003184739.tif 000011
【図１０】
0003184739.tif 000012
【図１１】
0003184739.tif 000013